【手続補正書】
【提出日】平成29年3月3日(2017.3.3)
【手続補正１】
【補正対象書類名】特許請求の範囲
【補正対象項目名】全文
【補正方法】変更
【補正の内容】
【特許請求の範囲】
【請求項１】
無線通信機能を備えた複数の情報処理装置と、上記無線通信機能を備えた複数の携帯端末とを備え、上記携帯端末から上記情報処理装置を選択して処理を実行させるように構成された情報処理装置の制御システムであって、
第１の無線通信手段を用いて上記複数の情報処理装置またはその近傍から発信されて上記携帯端末で受信される電波の強度に基づいて、上記携帯端末から最も距離が短い情報処理装置を上記携帯端末にて検出する距離検出部と、
上記距離検出部により検出された情報処理装置に対して、上記携帯端末から第２の無線通信手段を用いて処理の実行を指示する処理実行制御部とを備えたことを特徴とする携帯端末を用いた情報処理装置の制御システム。
【請求項２】
上記第１の無線通信手段はブルートゥースの省電力無線通信手段であり、
上記複数の情報処理装置は、上記省電力無線通信手段による発信部を備える一方、上記複数の携帯端末は、上記省電力無線通信手段による受信部を備え、
上記距離検出部は、上記受信部にて受信した電波の強度に基づいて、上記携帯端末から最も距離が短い情報処理装置を検出することを特徴とする請求項１に記載の携帯端末を用いた情報処理装置の制御システム。
【請求項３】
上記処理実行制御部は、ユーザからの処理実行指示操作に応じて、上記処理の実行に必要なデータを生成するデータ生成部と、
上記距離検出部により検出された情報処理装置を、上記データ生成部により生成されたデータの出力先として指定する出力先指定部と、
上記出力先指定部により上記出力先として指定された情報処理装置に対して、上記第２の無線通信手段を用いて上記データを送信して上記処理の実行を指示するデータ送信部とを備えたことを特徴とする請求項１または２に記載の携帯端末を用いた情報処理装置の制御システム。
【請求項４】
上記距離検出部は、上記電波の強度が所定の閾値以上で、かつ、強度が最も強い電波の発信元の情報処理装置を、上記携帯端末から最も距離が短い情報処理装置として検出することを特徴とする請求項３に記載の携帯端末を用いた情報処理装置の制御システム。
【請求項５】
上記データ生成部により上記データが生成された時点で、強度が所定の閾値以上となる電波が上記距離検出部により検出されない場合、強度が所定の閾値以上となる電波が上記距離検出部により検出されるまで、上記データ生成部により生成されたデータを保持するデータ保持部をさらに備え、
上記距離検出部は、強度が所定の閾値以上となる電波を検出した時点で、強度が最も強い電波の発信元の情報処理装置を検出し、
上記出力先指定部は、強度が所定の閾値以上となる電波が検出された時点で、上記距離検出部により検出された情報処理装置を上記データの出力先として指定し、
上記データ送信部は、上記出力先指定部により上記出力先として指定された情報処理装置に対して、上記データ保持部により保持されているデータを送信して上記処理の実行を指示することを特徴とする請求項４に記載の携帯端末を用いた情報処理装置の制御システム。
【請求項６】
上記第１の無線通信手段による発信部を上記複数の情報処理装置の近傍の場所に備える一方、上記第１の無線通信手段による受信部を上記複数の携帯端末が備え、
上記距離検出部は、上記受信部にて受信した電波の発信元である上記発信部についてあらかじめ記憶されている設置位置情報と、上記受信部にて受信した電波の強度とに基づいて、上記携帯端末が存在する現在位置を算出する現在位置算出部と、
上記現在位置算出部により算出された上記携帯端末の現在位置と、上記複数の情報処理装置についてあらかじめ記憶されている設置位置情報とに基づいて、上記携帯端末から上記複数の情報処理装置までの距離をそれぞれ算出し、上記携帯端末から最も距離が短い情報処理装置を検出する距離算出部とを備えたことを特徴とする請求項１または２に記載の携帯端末を用いた情報処理装置の制御システム。
【請求項７】
上記処理実行制御部は、ユーザからの処理実行指示操作に応じて、上記処理の実行に必要なデータを生成するデータ生成部と、
上記距離検出部により検出された情報処理装置を、上記データ生成部により生成されたデータの出力先として指定する出力先指定部と、
上記出力先指定部により上記出力先として指定された情報処理装置に対して、上記第２の無線通信手段を用いて上記データを送信して上記処理の実行を指示するデータ送信部とを備えたことを特徴とする請求項６に記載の携帯端末を用いた情報処理装置の制御システム。
【請求項８】
上記距離検出部は、上記距離算出部により算出される距離が所定の閾値以下で、かつ、上記携帯端末から最も距離が短い情報処理装置を検出することを特徴とする請求項７に記載の携帯端末を用いた情報処理装置の制御システム。
【請求項９】
上記データ生成部により上記データが生成された時点で、上記距離が所定の閾値以下となる情報処理装置が上記距離検出部により検出されない場合、上記距離が所定の閾値以下となる情報処理装置が上記距離検出部により検出されるまで、上記データ生成部により生成されたデータを保持するデータ保持部をさらに備え、
上記距離検出部は、上記距離が所定の閾値以下となる情報処理装置を検出した時点で、上記距離が最も短い情報処理装置を検出し、
上記出力先指定部は、上記距離が所定の閾値以下となる情報処理装置が検出された時点で、上記距離検出部により検出された情報処理装置を上記データの出力先として指定し、
上記データ送信部は、上記出力先指定部により上記出力先として指定された情報処理装置に対して、上記データ保持部により保持されているデータを送信して上記処理の実行を指示することを特徴とする請求項８に記載の携帯端末を用いた情報処理装置の制御システム。
【請求項１０】
上記距離検出部は、上記第１の無線通信手段を用いて上記複数の情報処理装置またはその近傍から発信されて上記携帯端末で受信される電波の強度に基づいて、上記携帯端末から最も距離が短い情報処理装置を含め、距離が短い方から順に所定数の情報処理装置を検出し、
上記距離検出部により検出された上記所定数の情報処理装置のリストをユーザに提示して何れかを選択させるリスト提示部をさらに備え、
上記処理実行制御部は、上記距離検出部により検出された情報処理装置のうち、上記リスト提示部により提示された所定数の情報処理装置の中からユーザの選択操作に応じて選択された情報処理装置に対して、上記携帯端末から第２の無線通信手段を用いて処理の実行を指示することを特徴とする携帯端末を用いた請求項１または２に記載の情報処理装置の制御システム。
【請求項１１】
上記第１の無線通信手段による発信部を備えた外部デバイスを上記複数の情報処理装置に接続する一方、上記第１の無線通信手段による受信部を上記複数の携帯端末が備え、
上記複数の携帯端末は、複数の上記外部デバイスの識別情報と、当該外部デバイスが接続される上記情報処理装置の識別情報との関連付けを行い、その関連付け情報を関連付け情報記憶部に記憶させる関連付け設定部を更に備え、
上記距離検出部は、上記第１の無線通信手段を用いて上記複数の外部デバイスから発信されて上記携帯端末で受信される電波の強度に基づいて、上記携帯端末から最も距離が短い外部デバイスを検出し、さらに、上記関連付け記憶部に記憶された上記関連付け情報を参照することにより、上記検出した外部デバイスに接続された上記情報処理装置を、上記携帯端末から最も距離が短い情報処理装置として検出することを特徴とする請求項１，２，３または１０に記載の携帯端末を用いた情報処理装置の制御システム。
【請求項１２】
複数の情報処理装置との間で無線通信を行うことにより、上記複数の情報処理装置の中から何れかを選択して処理を実行させるように構成された携帯端末であって、
第１の無線通信手段を用いて受信される電波の強度に基づいて、上記複数の情報処理装置の中から最も距離が短い情報処理装置を検出する距離検出部と、
上記距離検出部により検出された情報処理装置に対して、第２の無線通信手段を用いて処理の実行を指示する処理実行制御部とを備えたことを特徴とする携帯端末。
【請求項１３】
上記第１の無線通信手段はブルートゥースの省電力無線通信手段であり、
上記複数の情報処理装置に備えられ上記省電力無線通信手段による発信部から送信された電波を受信する受信部を備え、
上記距離検出部は、上記受信部にて受信した電波の強度に基づいて、上記複数の情報処理装置の中から最も距離が短い情報処理装置を検出することを特徴とする請求項１２に記載の携帯端末。
【請求項１４】
無線通信機能を備えた複数の情報処理装置と、上記無線通信機能を備えた複数の携帯端末とを備えたシステムにおいて、上記携帯端末から上記情報処理装置を選択して処理を実行させるための制御方法であって、
上記携帯端末の距離検出部が、第１の無線通信手段を用いて上記複数の情報処理装置またはその近傍から受信される電波の強度に基づいて、上記携帯端末から最も距離が短い情報処理装置を検出する第１のステップと、
上記携帯端末の処理実行制御部が、上記距離検出部により検出された情報処理装置に対して、第２の無線通信手段を用いて処理の実行を指示する第２のステップとを有することを特徴とする情報処理装置の制御方法。
【請求項１５】
複数の情報処理装置との間で無線通信を行うことにより、上記複数の情報処理装置の中から何れかを選択して処理を実行させるように構成された携帯端末に実装される制御用プログラムであって、
第１の無線通信手段を用いて上記複数の情報処理装置またはその近傍から受信される電波の強度に基づいて、上記複数の情報処理装置の中から最も距離が短い情報処理装置を検出する距離検出手段、および
上記距離検出手段により検出された情報処理装置に対して、第２の無線通信手段を用いて処理の実行を指示する処理実行制御手段
として上記携帯端末のコンピュータを機能させる、情報処理装置の制御用プログラム。
【手続補正２】
【補正対象書類名】明細書
【補正対象項目名】０００１
【補正方法】変更
【補正の内容】
【０００１】
本発明は、携帯端末を用いた情報処理装置の制御システム、携帯端末、情報処理装置の制御方法および制御用プログラムに関し、特に、無線通信機能を備えた複数の情報処理装置および無線通信機能を備えた複数の携帯端末を備え、携帯端末から情報処理装置を選択して処理を実行させるように構成されたシステムに用いて好適なものである。
【手続補正３】
【補正対象書類名】明細書
【補正対象項目名】０１０３
【補正方法】変更
【補正の内容】
【０１０３】
（１）無線通信機能を備えた複数の情報処理装置と、上記無線通信機能を備えた複数の携帯端末とを備え、上記携帯端末から上記情報処理装置を選択して処理を実行させるように構成された情報処理装置の制御システムであって、
上記無線通信機能によって上記複数の情報処理装置またはその近傍から発信されて上記携帯端末で受信される電波の強度に基づいて、当該強度が所定値以上となる電波の発信元である情報処理装置を、上記端末装置からの距離が短い情報処理装置として検出する距離検出部と、
上記距離検出部により検出された１以上の情報処理装置のリストをユーザに提示して何れかを選択させるリスト提示部とを備えたことを特徴とする携帯端末を用いた情報処理装置の制御システム。